(57)【要約】      （修正有）【課題】自動車用あるいは自転車用幼児座席、自転車用や家庭用かごに人や動物などの形象を表わすのに、低価格でユーザー自身が容易に着脱できるなど取扱い性良く、屋外環境に適し、ユーザーが楽しめるなどの購買意欲を促す表示構造を提供する。【解決手段】自動車用あるいは自転車用幼児座席、自転車用荷かごなどの面に人または動物の形象を直接表わすか、別体の表示板を面に取付ける構造であって、表示板上の基本色と異なる色となる箇所に、その形状で異なる色の当板を表示板の表側から取付けたり、その形状の刳り抜き穴にして異なる色の当板を表示板の裏側から取付けてその色が穴を通して見えるようにし、人または動物を模して表現する。【選択図】図１
2016002899.tif 000002
【特許請求の範囲】
【請求項１】
自動車用あるいは自転車用幼児座席の面に人または動物の形象を表わす構造であって、少なくともヘッドガードの側板の面に人または動物の顔部分を、座席の側板の面に胴体部分を直接表示するか別体の表示板を取付けて表わすように構成し、または足載せ部の側板の面に足部分を直接表示するか別体の表示板を取付けて表わすように構成する場合も含めて、幼児座席を全体として人または動物を模して表現することを特徴とする表示構造。
【請求項２】
前記の人または動物の顔、胴体、足の少なくともいずれかの部分の形象を別体の前記表示板を前記面に取付けて表わす場合において、表示板上の基本色と異なる色になる箇所に、その形状とその異なる色の当板を表示板の表側から取付けたり、またはその個所をその形状の刳り抜き穴にしてその異なる色の当板を表示板の裏側から取付けてその色が刳り抜き穴を通して見えるように構成し、幼児座席を全体として人または動物を模して表現することを特徴とする請求項１に記載した表示構造。
【請求項３】
自動車用あるいは自転車用幼児座席の面に人または動物の形象を表わす構造であって、ヘッドガードの側板の面に人または動物の顔の部分を直接表示するか別体の表示板を取付けて表わし、座席の側板の面または足載せ部の側板の面の刳り抜き穴を含む形状を人または動物の胴体または足の部分の形象、模様に模するものにし、座席の側板または足載せ部の側板の内側にカバーを設け、カバーの色が刳り抜き穴を通して見えるように構成し、幼児座席を全体として人または動物を模して表現することを特徴とする表示構造。
【請求項４】
前記表示板を前記面に取付けることによって人または動物の少なくともいずれかの部分の形象を表わす場合において、表示板と一体または別体の雄（または雌）形結合手段を有し、前記面には雌（または雄）形結合手段を有するように構成し、雌雄形結合手段を結合、解除することによって表示板を面に容易に取付け、取外しすることを特徴とする請求項１乃至請求項３のいずれかに記載した表示構造。
【請求項５】
自動車用あるいは自転車用幼児座席、自転車など二輪車用荷かご、家庭用かごの面に物の形象を表わす構造であって、前記面に取付けて物の形象を表わすための表示板を設け、その表示板に一体または別体の雄（または雌）形結合手段を有し、１つの対象品で複数箇所の前記面に同一構造の雌（または雄）形結合手段を有するかまたは異なる対象品にも同一構造の雌（または雄）形結合手段を有するように構成し、雌雄形結合手段を結合、解除することによって１つの表示板を別の面に取付けたり、複数の異なる表示板を互いの面に入れかえることができることを特徴とする表示構造。
【発明の詳細な説明】
【技術分野】
【０００１】
本発明は、自動車用あるいは自転車用幼児座席、自転車など二輪車用荷かご、家庭用かごに物の形象を表わす表示構造に関するものである。
【背景技術】
【０００２】
近年、様々なキャラクター商品が出まわる中、自動車用あるいは自転車用幼児座席、自転車など二輪車用荷かご、家庭用かごに人気キャラクターや人や動物などが描画されたものは見当たらない。描画することが、印刷の工数や費用を掛けるほど必要性があるものか、費用を掛けることによって購買意欲を促して売れるものか、また技術的には直射日光や雨風に晒される屋外の環境に耐えられる描画が可能なのかということを検討した時、はっきりした確証がないため不採用になったものと思われる。しかし子供やさらには大人でさえ興味を持つ人気キャラクターや人や動物などを楽しく表わした商品がいざ出まわると、購買意欲がそそられるだろうということは容易に推測できる。
【先行技術文献】
【特許文献】
【０００３】
公開された先行技術文献として挙げるものが特に見当たらなかった。
【発明の概要】
【発明が解決しようとする課題】
【０００４】
楽しめる人気キャラクターや人や動物などの絵を表わした商品は、ユーザーの購買意欲を促すことができるが、それをより確実なものとするために次の要素ができるだけ多く満たされることが肝要である。第１に低価格であること、第２に取扱い性が良いこと、第３に屋外環境にも耐えられるか適切な対処ができること、第４に印象強く、魅力的な表現が可能であることなどである。
現在、オプション販売形態が一般的であるが、前記絵をオプション品販売にすることは、ユーザーがオプション品購買を選択できるという意味において、本体価格が高くならないので低価格で提供する目的に適ったものである。またユーザーが自由に選んだ好みの絵をユーザー自身が取付け、取外しできる取扱い性の良さは、オプション品だけでなく本体商品の販売に有利なことである。またユーザー自身が絵を取付け、取外しできることは、屋外の使用で劣化した絵を新しいものに交換できる便利さがある。さらにまた楽しめる人気キャラクターや人や動物などを商品の形状に合わせて配置、構成して印象強く、魅力的に表現する工夫は、購買意欲を促す大きな要因となる。  
これら前記第１〜第４を実現するための表示構造、構成、配置をどのようにすればよいかが課題となる。
【０００５】
本発明はこれらの課題を解決するもので、自動車用あるいは自転車用幼児座席、自転車など二輪車用荷かご、家庭用かごに人気キャラクターや人や動物などの物の形象を表わすのに、安い価格で、ユーザー自身が容易に取付け、取外し、取替えができるなど取扱い性が良く、屋外環境に適するかまたは対処でき、ユーザーが魅力を感じて楽しめるなど、ユーザーの購買意欲を促すための表示構造、構成、配置の工夫を提供することを目的とする。
【課題を解決するための手段】
【０００６】
請求項１の発明の構成上の特徴と作用を示す。請求項１の発明は、自動車用あるいは自転車用幼児座席の面に人または動物の形象を表わす構造であって、少なくともヘッドガードの側板の面に人または動物の顔部分を、座席の側板の面に胴体部分を直接表示するか別体の表示板を取付けて表わすように構成している。または足載せ部の側板の面に足部分を直接表示するか別体の表示板を取付けて表わすように構成する場合も含めて、
幼児座席の全体の形状に合わせた配置の工夫によって、人または動物を模して印象強く、魅力的に表現できるように作用するものである。
ここでいう「表示板」とは、特定しない限り物の形象を表わすためのもので、物の形象を表わしたシールを貼付けたり、自由に絵を描くための無地の表示板なども含めるものとし、さらにまた「人または動物」とは、擬人化した生物やロボット、漫画で表わされた人や動物、及び相当するものも含むものとする。以下の記述においても同様である。
【０００７】
請求項２の発明の構成上の特徴と作用を示す。請求項２の発明は、請求項１の構成上の特徴に加えて、前記の人または動物の顔、胴体、足の少なくともいずれかの部分の形象を別体の前記表示板を前記面に取付けて表わす場合において、表示板上の基本色と異なる色になる箇所に、その形状とその異なる色の当板を表示板の表側から取付けたり、またはその個所をその形状の刳り抜き穴にしてその異なる色の当板を表示板の裏側から取付けてその色が刳り抜き穴を通して見えるように構成している。
幼児座席の全体の形状に合わせた配置、構造の工夫によって、人または動物を模して、より印象強く、魅力的に表現できるように作用するものである。
【０００８】
請求項３の発明の構成上の特徴と作用を示す。請求項３の発明は、自動車用あるいは自転車用幼児座席の面に人または動物の形象を表わす構造であって、ヘッドガードの側板の面に人または動物の顔部分を直接表示するか別体の表示板を取付けて表わし、座席の側板の面または足載せ部の側板の面の刳り抜き穴を含む形状を人または動物の胴体または足の部分の形象、模様に模するものにし、座席の側板または足載せ部の側板の内側にカバーを設け、カバーの色が刳り抜き穴を通して見えるように構成している。
幼児座席の全体の形状に合わせた配置、構造の工夫によって、人または動物を模して、より印象強く、魅力的に表現できるように作用するものである。
【０００９】
請求項４の発明の構成上の特徴と作用を示す。請求項４の発明は、請求項１乃至請求項３のいずれかの構成上の特徴に加えて、前記表示板を前記面に取付けることによって人または動物の少なくともいずれかの部分の形象を表わす場合において、表示板と一体または別体の雄（または雌）形結合手段を有し、前記面には雌（または雄）形結合手段を有するように構成している。
請求項１乃至請求項３の作用に加えて、雌雄形結合手段を結合、解除することによって表示板を面に容易に取付け、取外しできるように作用する。
【００１０】
請求項５の発明の構成上の特徴と作用を示す。請求項５の発明は、自動車用あるいは自転車用幼児座席、自転車など二輪車用荷かご、家庭用かごの面に物の形象を表わす構造であって、
前記面に取付けて物の形象を表わすための表示板を設け、その表示板に一体または別体の雄（または雌）形結合手段を有し、１つの対象品で複数箇所の前記面に同一構造の雌（または雄）形結合手段を有するかまたは異なる対象品にも同一構造の雌（または雄）形結合手段を有するように構成している。
雌雄形結合手段を結合、解除することによって１つの表示板を別の面に取付けたり、複数の異なる表示板を互いの面に入れかえることができるように作用するものである。
【発明の効果】
【００１１】
本発明は、自動車用あるいは自転車用幼児座席、自転車など二輪車用荷かご、家庭用かごに人気キャラクターや人や動物などの物の形象を表わすのに、低価格で、ユーザー自身が容易に取付け、取外し、取替えができるなど取扱い性が良く、屋外環境での使用にも適し、ユーザーが魅力を感じて楽しめるなどのユーザーの購買意欲を促す効果がある。
【図面の簡単な説明】
【００１２】
【図１】幼児座席全体による人または動物の表示（実施例１）
【図２】幼児座席全体による人または動物の表示（実施例２）
【図３】実施例２の左手部とステッキ部の表示方法
【図４】幼児座席全体による人または動物の表示（実施例３）
【図５】実施例３の表示方法
【図６】幼児座席全体による人または動物の表示（実施例４）
【図７】表示板を取付けるための雌雄結合（挿入結合）材
【図８】表示板の別例                        （実施例５）
【図９】キャラクター「パンダのさっしー」と「パンダのつっくん」
【図１０】幼児座席への表示箇所の例１（実施例５）
【図１１】幼児座席への表示箇所の例２（実施例５）
【発明を実施するための形態】
【００１３】
以下の実施例として、自転車用幼児座席を中心に記述する。また前述の通り表示板とは、特定しない限り物の形象を表わすためのもので、物の形象を表わしたシールを貼付けたり、自由に絵を描くための無地の表示板なども含めるものとする。
図８〜図１１に表わすパンダの絵は、本発明の発明者（出願者）が著作したキャラクター「パンダのさっしー」と「パンダのつっくん」の兄弟である。
【実施例１】
【００１４】
請求項１を表わす実施例１を図１に基づいて説明する。図１には、ヘッドガードの側板４の面にハットを被った動物の顔部分１４がヘッドガードの側板４の外形の一部を兼ねるように表わされ、座席の側板１の面にその動物がスーツを着てステッキを持っている胴体部分１１が側板の形状に合わせて表わされ、足載せ部の側板３には足部分１３が、その動物がスラックスを穿き、靴を履いた足を足載せ部に置くようにして表わされており、幼児座席全体として擬人化した動物が腰掛けている姿が印象強く、魅力的に表現されている。
表示方法は、それぞれの面に印刷などで描くものであってもよいし、表示板を取付けるものであってもよい。
【実施例２】
【００１５】
請求項２を表わす実施例２を図２と図３に基づいて説明する。描画内容は実施例１と同じであるが、色の種類を増やして表現をより豊かにするものである。図２の動物の顔部分２４はヘッドガードの側板４の面と一体かまたは表示板の取付けで構成され、胴体部分２１は座席の側板１の面に、ズボン２３ｄを穿いた足部分２３は足載せ部の側板３の面にそれぞれの表示板２１７（２２７）、２３７を挿入結合（後述）で取付けて構成されている。
顔部分２４で頭に被ったハットの箇所には、ハットの形状と色を表わすハット部当板２４ａが表面から挿入結合（後述）で取付けられている。図３に示すように、胴体部分２１の手袋の箇所はその形状の刳り抜き穴２１１にして、手袋の形状と色を表わす内側当板２１ａが裏面から挿入結合で取付けられ、スーツ２１ｄの袖口とステッキの箇所には、それぞれの形状と色を表わす袖口部当板２１ｂとステッキ部当板２１ｃが表面から挿入結合で取付けられている。同様にズボン２３ｄを穿いた足部分２３の靴下部の箇所はその形状の刳り抜き穴２３１にして、靴下部の形状と色を表わす内側当板２３ａが裏面から挿入結合で取付けられ、ズボン裾部と靴の箇所には、それぞれの形状と色を表わすズボン裾部当板２３ｂと靴部当板２３ｃが表面から挿入結合で取付けられている。
それぞれの当板は、スーツ２１ｄや顔部分２４の色に合わせて任意の色に設定できるので、より印象強く、豊かな表現が可能である。また表示板の取付けで構成されている部分は、表示内容を取替えできる便利さがある。
【実施例３】
【００１６】
請求項２を表わす別の実施例３を図４と図５に基づいて説明する。図４にはヘッドガードの側板４の面に動物（犬）の顔部分３４がヘッドガードの側板４の外形の一部を兼ねるように表わされ、ヘッドガードの側板４の面と一体かまたは表示板の取付けで構成されている。胴体部分３１は、図５のように座席の側板１の面に表示板３１７が挿入結合（後述）で取付けられており、その表示板３１７には斑犬の胴体部の斑模様を表わす刳り抜き穴３１１がいくつか配置され、表示板３１７の裏面に挿入結合で取付けられた内側当板３１ａの色が斑模様の色として表示板３１７の刳り抜き穴３１１を通して見えるものである。同様に足部分３３も、裏面に内側当板３３ａが取付けられ、刳り抜き穴３３１が配置された表示板３３７が足載せ部の側板３の面に取付けられている。
幼児座席全体として動物を印象強く、魅力的に表現している。斑犬の他にも麒麟や豹なども斑模様で表わすことができる。また縞馬の顔と縞模様の胴体部分や亀の顔と亀の甲羅部分なども表現し易い例である。ヘッドガードの側板４の面の顔部分３４を表示板取付け式にしておけば、動物の種類を取替えできる便利さがある。
【実施例４】
【００１７】
請求項３を表わす実施例４を図６に基づいて説明する。図６にはヘッドガードの側板４の面に動物（犬）の顔部分４４がヘッドガードの側板４の外形の一部を兼ねるように表わされ、ヘッドガードの側板４の面と一体かまたは表示板の取付けで構成されている。また胴体部分４１は、座席の側板１の面の刳り抜き穴４１１の形が斑犬の斑模様を表わしており、刳り抜き穴４１１を通して見える座席の側板１の内側に設けた内カバー４１２の色が斑模様の色を表わしている。足部分４３も同様に、斑模様を表わす刳り抜き穴４３１を通して見える足載せ部の側板３の内側に設けた内カバー４３２の色が斑模様の色を表わしている。内カバー４１２は図６に示すように幼児座席をバスケットに転用するためのバスケット兼用内カバーを利用することもできる。
以上のように、幼児座席全体として動物をより印象強く、魅力的に表現している。斑犬の他にも麒麟や豹なども斑模様で表わすことができる。また縞馬の顔と縞模様の胴体部分や亀の顔と亀の甲羅部分なども表現し易い例である。
ヘッドガード４の側板の面の顔部分３４を表示板取付け式にしておけば、動物の種類を取替えできるが、座席の側板１自体にあけられている斑模様を表わす刳り抜き穴４１１の形状を変更できないので、取替えできる動物の種類は制限される。反面、低コストで実施できる効果がある。
【００１８】
請求項４を表わす雌雄結合（挿入結合）の例を図５のｃ）に示す。実施例１〜実施例３において、この挿入結合によって表示板を取付ける方法であれば、屋外環境での使用による表示板の劣化時や気分を変えて好みの表示に替えたい時に表示板を取りかえることができるので便利である。
図５のｃ）は、胴体部分３１の表示板３１７や足部分３３の表示板３３７を図４のように座席の側板１の面や足載せ部の側板３の面に取付けるための雌雄結合（挿入結合）材の構造である。
【００１９】
図７は押圧形挿入結合と係止形挿入結合の２種類の雌雄結合（挿入結合）材を示し、それらによる取付状態を、便宜上実施例５を示す図８の表示板５７に表わす。押圧形挿入結合は、表示板５７の孔５７ａに固く嵌め込まれたり、接着剤などで接着されたりして表示板５７と一体に固定された挿入片８１を、取付面６の対応する位置に設けられた挿入孔６ａに差込み、また引抜くことによって、表示板５７を取付け、取外しできるようにしたものである。挿入片８１にはスリット８１ｂがあって２つの部分に分かれた挿入部８１ａが挿入孔６ａに差込まれる時にスリット８１ｂと直角方向に伸縮することによって、挿入孔６ａの内壁面を押しつける（押圧する）ように作用し、挿入状態を堅固なものにしている。この実施例では挿入片８１が雄形結合手段であり、挿入孔６ａが雌形結合手段である。
係止形挿入結合は、表示板５７の挿入孔５７ｂと取付面６の挿入孔６ｂの位置が合うように表示板５７を取付面６に押し当ててから、挿入外片９１をその鍔９１ａで止まるまで両孔に挿入した後、挿入外片９１の中央孔９１ｃに挿入内片９２を挿入する。この時、挿入外片９１の３つに分かれた係止部９１ｂが押し広げられて取付面６の反対側の面に係止することによって、前記鍔９１ａとこの係止部９１ｂが取付面６の板と表示板５７を挟み込むようにして表示板５７を固定するものである。この実施例では挿入外片９１と挿入内片９２が雄形結合手段であり、挿入孔６ｂが雌形結合手段である。
【実施例５】
【００２０】
請求項５を表わす実施例５を図７〜図１１に基づいて説明する。実施例５は自動車用あるいは自転車用幼児座席だけではなく、自転車など二輪車用荷かご、家庭用かごに人気キャラクターや人や動物などの物の形象を表わすのに適している。
前述の図７の雌雄結合（挿入結合）材による取付構造を有して、表示板５７を容易に取付け、取外しできるものである。図１０、図１１にヘッドガードの側板４の面、座席の側板１の面、足載せ部の側板３の面、シートベルト５のバックル５５の面、（また図にはないが、ハンドルの座席側の面）など表示板５７の取付箇所の例を示すが、それぞれの取付面側の取付構造を同一のものにしておけば、対応する構造を持つ表示板５７を任意の箇所に取付けることができたり、別の形象を表わす表示板５７に取りかえることができる。図では例として図９のキャラクター「パンダのさっしー」または「パンダのつっくん」を中心に表わしている。
ユーザー自身が表示板５７を容易に取付け、取外しできるので、表示板５７をオプション商品として販売でき、また屋外環境での使用による表示板５７の劣化時や気分を変えて別の好みの表示に変えたい時に表示内容を取りかえることができる。また幼児座席本体側が孔６ａの加工だけであるため、本体のコスト高に要因にはならない。
【００２１】
また、少なくとももう１つの幼児座席や、幼児座席とは異なる商品、例えば自転車の前かごや後かごの面の部分に取付面側の同じ取付構造を設けておくことによって、表示板５７を共用することができる。
平面でない、少々の曲面の部分に取付ける場合、表示板５７を軟らかい材質で薄めの寸法にして曲げ易くすれば、曲面にも対応できる。
【産業上の利用可能性】
【００２２】
本発明は、自動車用あるいは自転車用幼児座席、自転車など二輪車用荷かご、家庭用かごを製造する産業で利用される。
【符号の説明】
【００２３】
１            座席の側板
２            背凭れ部の側板
３            足載せ部の側板
４            ヘッドガードの側板
５            シートベルト
６          （取付）面
６ａ          挿入孔（取付面側）（押圧形挿入結合）
６ｂ          挿入孔（取付面側）（係止形挿入結合）
７            表示板（表示部）
７ａ          取付孔（表示板側）（押圧形挿入結合）
７ｂ          挿入孔（表示板側）（係止形挿入結合）
８            押圧形挿入片
８１ａ        挿入部
８１ｂ        スリット
８２          押圧形挿入片（長寸軸）
８２ａ        挿入部
８２ｂ        スリット
９            係止形挿入（内外）片
９１          係止形挿入外片
９１ａ        鍔
９１ｂ        係止部
９１ｃ        中央孔
９２          係止形挿入内片
（実施例１）
１１          胴体部分
１１７      （胴体部分の）表示部（板）
１２          胴体後部分
１２７      （胴体後部分の）表示部（板）
１３          足部分
１３７      （足部分の）表示部（板）
１４          顔部分
１４７      （顔部分の）表示部（板）
（実施例２）
２１          胴体部分
２１７      （胴体部分の）表示板
２１１        刳り抜き穴（手袋部）
２１ａ        内側当板（手袋部）
２１ｂ        袖口部当板
２１ｃ        ステッキ部当板
２１ｄ        スーツ（上着）
２２          胴体後部分
２２７      （胴体後部分の）表示板
２３          足部分
２３７      （足部分の）表示板
２３１        刳り抜き穴（靴下部、踝部）
２３ａ        靴下部（踝部）内側当板
２３ｂ        ズボン裾部当板
２３ｃ        靴部当板
２３ｄ        ズボン
２４          顔部分
２４７      （顔部分の）表示部（板）
２４ａ        ハット部当板
（実施例３）
３１          胴体部分
３１７      （胴体部分の）表示板
３１１        刳り抜き穴（胴体部斑模様）
３１ａ        内側当板（胴体部斑模様）
３２          胴体後部分
３２７      （胴体後部分の）表示板
３３          足部分
３３７      （足部分の）表示板
３３１        刳り抜き穴（足部斑模様）
３３ａ        内側当板（足部斑模様）
３４          顔部分
３４７      （顔部分の）表示部（板）
（実施例４）
４１          胴体部分
４１１        刳り抜き穴（胴体部斑模様）
４１２        内カバー（バスケット兼用内カバー）
４２          胴体後部分
４３          足部分
４３１        刳り抜き穴（足部斑模様）
４３２        裏カバー（足部斑模様）
４４          顔部分
４４７      （顔部分の）表示部（板）
（実施例５）
５５          バックル（シートベルト）
５７          表示板
５７ａ        取付孔（表示板側）（押圧形挿入結合）
５７ｂ        挿入孔（表示板側）（係止形挿入結合）
【図１】
2016002899.tif 000003
【図２】
2016002899.tif 000004
【図３】
2016002899.tif 000005
【図４】
2016002899.tif 000006
【図５】
2016002899.tif 000007
【図６】
2016002899.tif 000008
【図７】
2016002899.tif 000009
【図８】
2016002899.tif 000010
【図９】
2016002899.tif 000011
【図１０】
2016002899.tif 000012
【図１１】
2016002899.tif 000013
【手続補正書】
【提出日】平成26年6月22日(2014.6.22)
【手続補正１】
【補正対象書類名】特許請求の範囲
【補正対象項目名】全文
【補正方法】変更
【補正の内容】
【特許請求の範囲】
【請求項１】
自動車用あるいは自転車用幼児座席の面に人または動物の形象を表わす構造であって、少なくともヘッドガードの側板（４）の面に人または動物の顔部分（１４）を、座席の側板（１）の面に胴体部分（１１）を直接表示するか別体の表示板（１４７、１１７）を取付けて表わすように構成し、または足載せ部の側板（３）の面に足部分（１３）を直接表示するか別体の表示板（１３７）を取付けて表わすように構成する場合も含めて、幼児座席を全体として人または動物を模して表現することを特徴とする表示構造。
【請求項２】
前記の人または動物の顔、胴体、足の少なくともいずれかの部分の形象を別体の前記表示板（２１７、２３７、３１７等）を前記面に取付けて表わす場合において、表示板上の基本色と異なる色になる箇所に、その形状とその異なる色の当板（２１ｂ、２３ｂ、３１ａ等）を表示板の表側から取付けたり、またはその個所をその形状の刳り抜き穴（２１１、２３１、３１１等）にしてその異なる色の当板（２１ａ、２３ａ、３１ａ等）を表示板の裏側から取付けてその色が刳り抜き穴を通して見えるように構成し、幼児座席を全体として人または動物を模して表現することを特徴とする請求項１に記載した表示構造。
【請求項３】
自動車用あるいは自転車用幼児座席の面に人または動物の形象を表わす構造であって、ヘッドガードの側板（４）の面に人または動物の顔の部分（４４）を直接表示するか別体の表示板（４４７）を取付けて表わし、座席の側板（１）の面または足載せ部の側板（３）の面の刳り抜き穴（４１１、４３１）を含む形状を人または動物の胴体または足の部分の形象、模様に模するものにし、座席の側板（１）または足載せ部の側板（３）の内側にカバー（４１２，４３２）を設け、カバーの色が刳り抜き穴を通して見えるように構成し、幼児座席を全体として人または動物を模して表現することを特徴とする表示構造。
【請求項４】
前記表示板（１１７等）を前記面に取付けることによって人または動物の少なくともいずれかの部分の形象を表わす場合において、表示板と一体または別体の雄（または雌）形結合手段（８，９等）を有し、前記面には雌（または雄）形結合手段（６ａ、６ｂ等）を有するように構成し、雌雄形結合手段を結合、解除することによって表示板を面に容易に取付け、取外しすることを特徴とする請求項１乃至請求項３のいずれかに記載した表示構造。
【請求項５】
自動車用あるいは自転車用幼児座席、自転車など二輪車用荷かご、家庭用かごの面に物の形象を表わす構造であって、前記面に取付けて物の形象を表わすための表示板（５７）を設け、その表示板に一体または別体の雄（または雌）形結合手段（８，９等）を有し、１つの対象品で複数箇所の前記面に同一構造の雌（または雄）形結合手段（６ａ、６ｂ等）を有するかまたは異なる対象品にも同一構造の雌（または雄）形結合手段を有するように構成し、雌雄形結合手段を結合、解除することによって１つの表示板を別の面に取付けたり、複数の異なる表示板を互いの面に入れかえることができることを特徴とする表示構造。